(57)【特許請求の範囲】
【請求項１】
操作部と表示部とを備えた携帯電話装置において、
前記表示部が、
前記操作部を構成する複数のキーを表した操作部表示と、次に操作すべき内容を示す文字とを表示するとともに、
前記操作部表示で表される複数のキーのうち前記文字が示す内容を行うために次に押下すべきキーを反転表示し、及び／又は、当該キーの色表示を他のキーの色表示とは異なる色表示とし、
次に操作すべき内容を示す文字を反転表示する
ことを特徴とする携帯電話装置。
【請求項２】
前記携帯電話装置からキー入力する場合は、当該携帯電話装置が入力待ち状態と、当該携帯電話装置が通話中状態と、当該携帯電話装置が着信中状態の何れかである
ことを特徴とする請求項１記載の携帯電話装置。
【請求項３】
前記入力待ち状態または通話中状態または着信中状態の何れかである場合に、前記表示部に視覚認識可能に表示されたキーの内、次に押下すべきキーを明示する
ことを特徴とする請求項１又は２記載の携帯電話装置。
【発明の詳細な説明】
【０００１】
【発明の属する技術分野】
本発明は、携帯電話装置に関し、特に例えば高齢者や児童等であっても、所望の相手に確実に電話をかけることが可能な携帯電話装置に関する。
【０００２】
【従来の技術】
近年、携帯電話装置（携帯電話）の一般消費者（使用者）への普及ぶりには、目覚しいものがあり、防犯用等の目的で、高齢者や児童に携帯電話を持たせる場合が少なくない。
ところが、携帯電話の機能はますます多機能化され、高齢者や児童では操作できないほど複雑になってきている。この操作の複雑さへの対処手段として、従来、操作補助表示等を用いて、操作方法を文字で表示部に表示する方法や、ワンタッチボタン等で数件の登録された場所に自動発信する方法によって、この問題に対処していた。
【０００３】
【発明が解決しようとする課題】
しかしながら、前述の文字で表示部に表示する場合は、高齢者や児童の中には、「電話をかける」、「電話に出る」、「電話を切る」といった基本的な操作方法が分からない使用者も少なくない。この様な使用者に対して文字で「＃を押して下さい」などの表示を行っても、どのキーを押せばよいのかわからないことも多い。
また、前述のワンタッチボタン等で電話をかける場合では、確かに登録済みの場所に自動発信する場合には便利であるが、登録された場所以外には電話をかけられないという欠点がある。
【０００４】
そこで本発明の課題は、例えば高齢者や児童等であっても、所望の相手に確実に電話をかけることが可能な携帯電話装置を提供することである。
【０００５】
【課題を解決するための手段】
前記課題を解決するために本発明は、操作部と表示部とを備えた携帯電話装置において、前記表示部が、前記操作部を構成する複数のキーを表した操作部表示と、次に操作すべき内容を示す文字とを表示するとともに、前記操作部表示で表される複数のキーのうち前記文字が示す内容を行うために次に押下すべきキーを反転表示し、及び／又は、当該キーの色表示を他のキーの色表示とは異なる色表示とし、次に操作すべき内容を示す文字を反転表示することを特徴とする。
このようにすれば、例えば、図３（ａ），（ｂ）に示すように、「電話をかける」を反転表示し、また「開始キー」をマーカー表示というように、視覚認識可能（ビジュアル的）に表示するので、例えば高齢者や児童等であっても、次に操作すべき内容を理解でき、その操作に必要なキーを容易に認識することができる。従って、高齢者や児童等であっても、高機能の複雑な操作を要する携帯電話装置を、容易に操作することが可能となる。
【０００６】
【発明の実施の形態】
以下、本発明の携帯電話装置を、図示の実施例に基づいて説明する。
図１は本実施例の全体構成の外観図、図２は本実施例の電気的構成のブロック図である。
図１に示すように、携帯電話装置ＫＳは、折畳み式の携帯電話装置本体Ｈに、キー入力を行う操作部１と、電話相手の番号や電話帳情報などを表示する表示部２と、マイク３と、レシーバ４と、本体上部に設けたアンテナ５とを備えてなる。なお、表示部２は、液晶等で構成した表示機能および入力機能を備えたタッチパネル式のものでもよい。
【０００７】
操作部１は、数字キー（テンキー）１ａと、電源／終了／保留キー１ｂと、クリアキー１ｃと、電話をかける際に押下する開始キー１ｄと、電子メールを行う際に押下するメールキー１ｅと、相手先の電話番号を調べる際に押下する電話帳キー１ｆと、マーカーを移動する際に押下する方向キー１ｇと、ｉモード等のブラウザを起動する際に押下するブラウザキー１ｈと、例えば電話帳キーで相手を探し決定した際に押下する決定キー１ｉと、各種機能を表示する際に押下する機能メニューキー１ｊとを備える。
【０００８】
また、携帯電話装置ＫＳの電気的構成は、図２に示すように、各種制御を行う制御部１０と、回線接続を行う送受信部１１と、着信音等を出力するスピーカー１２と、操作補助機能のデータを記憶するメモリー１３とを備えてなる。
制御部１０は、操作部１から相手先電話番号等が入力されると、回線接続するための信号を送受信部１１に出力し、基地局へ無線送信させ、応答信号を受け取ることで通話回線を接続する。
【０００９】
また、制御部１０は、相手先から自局を呼び出す信号が送受信部１１から入力されると、着信音等をスピーカー１２から出力させ、使用者に着信を知らせる。操作部１からオフフックが入力されると、応答信号を基地局へ無線送信し、通話回線に接続する。
このように通話回線が接続されると、制御部１０は、マイク３から入力された音声信号を符号化して音声データを生成し、その音声データを送受信部１１に出力する。
【００１０】
送受信部１１は、制御部１０から得られた信号を変調処理して送信信号を生成し、その送信信号をアンテナ５から基地局へ無線送信する。
送受信部１１は、アンテナ５から入力される受信信号を復調処理し、復調データを制御部１０に出力する。制御部１０は、送受信部１１から入力された復調データを送話データに変換し、レシーバ４から音声として出力する。
メモリー１３には、次に説明する操作補助機能が設定された場合に表示する専用表示データが記憶されている。この専用表示データは、携帯電話装置ＫＳの動作状態に応じて制御部１０へ出力され、表示部２に表示される。
携帯電話装置ＫＳの状態は、基地局から受信した信号、または制御部１０から出力される信号によって識別される。即ち、待受け中、通話中、着信中の、３つの状態の信号である。
【００１１】
制御部１０は、電源投入時または、通話終了及び発信失敗時に、待受け開始を検出すると、メモリー１３より「待受け中操作補助画面」（図３参照）を呼出し、表示部２に操作部表示２１（図１参照）として表示する。この「待受け中操作補助画面」とは、次に行う操作で頻度の高い発信動作（電話をかける）を行うために、押下すべきボタンを着色または反転処理した操作部３を、ビジュアル的（視覚認識可能）に表示する画面である。
【００１２】
制御部１０は、発信時または着信時に通話開始を検出すると、メモリー１３より「通話中操作補助画面」（図５参照）を呼出し、表示部２に表示する。この「通話中操作補助画面」とは、次に行う操作で頻度の高い終話動作（電話を切る）を行うために、押下すべきボタンを着色または反転処理した操作部３を、ビジュアル的に表示する画面である。
【００１３】
また、制御部１０は、基地局より自局を呼び出す信号を受信した場合に、着信中を検出すると、メモリー１３より「着信中操作補助画面」（図４参照）を呼出し、表示部２に表示する。この「着信中用操作補助画面」とは、次に行う操作で頻度の高いオフフック動作（電話にでる）を行うために、押下すべきボタンを着色または反転処理した操作部３を、ビジュアル的に表示する画面である。
【００１４】
次に、本実施例の携帯電話装置ＫＳの操作補助表示処理を、図３〜図８に基づいて説明する。図３は待受け時の表示例、図４は着信中の表示例、図５は通話中の表示例、図６は待受け時の動作フローチャート、図７は着信時の動作フローチャート、図８は通信時の動作フローチャートである。
【００１５】
(１)待受け中操作補助
図６に示すように、制御部１０が、待受け開始を検出（ステップ６０１）すると、メモリー１３から「待受け中操作補助画面」（図３（ａ））を読出し、表示部２に表示する（ステップ６０２）。図３（ａ）は、制御部１０が、待受け開始を検出した時に表示する「待受け中操作補助画面」の一例である。この場合、次に操作する頻度の高い「電話をかける」操作を行うために押下するキーを、反転表示とマーカーによって指示している。次いで、制御部１０は、表示部２に表示されているキーが、押下されたか否かの判定（ステップ６０３）を行い、「ＹＥＳ」と判定された場合は、メモリー１３から発信時補助表示（図３（ｂ））を読み出し、表示部２に表示する（ステップ６０７）。
【００１６】
図３（ｂ）は、発信時操作補助表示の一例であり、任意の数字キーを押下できるように数字キー部の位置を枠３１で囲み、マーカーによって指示している。また、押下したキーを確認できるように入力キー確認エリア３２を設けている。その後、発信処理（ステップ６０８）を行う。このようにすれば、高齢者や児童であっても、自分が次にどのキーを押下しなければならないかが容易に分かるので、キー操作に戸惑うことがない。
【００１７】
ステップ６０３の判定が「ＮＯ」の場合は、待受け中操作補助画面の「電話をかける」以外の機能を選択されたかの判定（ステップ６０４）を行う。「ＹＥＳ」の場合は、電話帳検索処理（ステップ６０５）を行い、検索決定の判定をステップ６０６で行う。「ＹＥＳ」と判定した場合は、前記同様に発信時補助表示（ステップ６０７）を行う。この場合、図３（ｂ）の入力発信処理（ステップ６０８）を行う。電話帳検索処理判定が「ＮＯ」の場合、検索を終了するか否かの判定をステップ６０９で行い、「ＹＥＳ」の場合は、待受け中操作補助表示に戻り、「ＮＯ」の場合は、電話帳検索処理へ戻る。
【００１８】
（２）着信中操作補助
待受け中に基地局より自局を呼び出す信号を受信した場合、制御部１０は自局呼出を検出し（ステップ７０１）、メモリー１３から「着信中操作補助表示画面」（図４）を読出し、表示部２に表示する（ステップ７０２）。図４は、制御部１０が、自局呼出を検出した時に表示する「着信中操作補助画面」の一例である。この場合、次に操作する頻度の高い「電話にでる」操作を行うための操作部の表示をしており、押下するキーを反転表示とマーカーによって指示している。表示されているキーを押下されたか否かの判定（ステップ７０３）を行い、「ＹＥＳ」と判定された場合、着信処理を行い、通信を開始する（ステップ７１１）。
【００１９】
「ＮＯ」と判断された場合は、どの処理が選択されたか判定を行う（ステップ７０４）。本実施例の場合、選択機能を「応答保留」と「留守番録音」として動作の説明をする。「応答保留」を選択した場合、「応答保留操作補助表示」を行い（ステップ７０５）、「留守番録音」を選択した場合は、「留守番録音操作補助表示」を行う（ステップ７０８）。次に、表示されている操作を行ったか否かのそれぞれ判定を行い（ステップ７０６、ステップ７０９）、「ＹＥＳ」と判定された場合、それぞれ「応答保留処理」（ステップ７０７）、「留守番録音処理」（ステップ７１０）を行う。「ＮＯ」と判定された場合、着信中操作補助表示に戻る。
【００２０】
(３)通話中操作補助
発信処理及び着信処理後、通話開始した場合の動作について説明する。
通話開始を検出（ステップ８０１）すると、「通話中操作補助表示」（図５）の表示を行う（ステップ８０２）。図５は、通話開始を検出した時に表示する「通話中操作補助画面」の一例である。この場合、次に操作する頻度の高い「電話を切る」操作を行うための操作部の表示しており、押下するキーを反転表示とマーカーによって指示している。表示されているキーが押下されたか否かの判定（ステップ８０３）を行い、「ＹＥＳ」と判定された場合、回線切断処理を行う（ステップ８１１）。
【００２１】
「ＮＯ」と判断された場合は、どの処理が選択されたか判定を行う（ステップ８０４）。本実施例の場合、選択機能を「録音」と「保留」として動作の説明をする。「録音」を選択した場合、「録音操作補助表示」を行い（ステップ８０５）、「保留」を選択した場合は、「保留操作補助表示」を行う（ステップ８０８）。次に、表示されている操作を行ったか否かの判定を行い（ステップ８０６、ステップ８０９）、「ＹＥＳ」と判定された場合、それぞれ「録音処理」（ステップ８０７）、「保留処理」（ステップ８１０）を行う。「ＮＯ」と判定された場合、通話中操作補助表示に戻る。
【００２２】
なお、前記実施例では次に行うべき操作を、例えば「電話をかける」「電話を切る」等の文字で表示する場合を示したが、図９（Ａ），（Ｂ）に示すように、「電話をかける」を送受器を外した状態（オフフック）のアイコン表示とし、「電話を切る」を送受器を置いた状態（オンフック）のアイコン表示とすることも可能である。このようにすれば、漢字や文字を読めない児童や幼児であっても、必要な操作を行うことができる。
【００２３】
また、前記実施例では「電話をかける」等の、通話機能の確保の場合を説明したが、例えばｉモード機能や電子メール機能のように、画像通信・文字通信の場合にも本発明を適用可能であるのは勿論である。
更に、現用の各種機能を搭載した携帯電話装置（例えば、ドコモの５０３ｉシリーズ）ではなく、高齢者や児童向けの機能を少なくした携帯電話装置や、児童，幼児が遊びに使用するオモチャの携帯電話（オモチャ・ケータイ）にも、本発明を適用可能であるのは勿論である。
【００２４】
【発明の効果】
以上説明したように本発明によれば、移動機（携帯電話装置）の状態に応じた操作補助表示をビジュアル的（視覚認識可能）に行うので、携帯電話装置を初めて使用する使用者や不慣れな使用者が、簡単に間違えなく操作を行うことが可能となり、使い勝手の向上を図ることができる。
【図面の簡単な説明】
【図１】本発明の実施例の外観図である。
【図２】同実施例の制御系のブロック図である。
【図３】同実施例における、待受け中の表示例である。
【図４】同実施例における、着信中の表示例である。
【図５】同実施例における、通話中の表示例である。
【図６】同実施例における、待受け中の動作フローチャートである。
【図７】同実施例における、着信時の動作フローチャートである。
【図８】同実施例における、通信時の動作フローチャートである。
【図９】同実施例の「なお書き」に記載したアイコン表示の具体例である。
【符号の説明】
Ｈ  携帯電話装置本体
ＫＳ  携帯電話装置
１  操作部
２  表示部
３  マイク
４  レシーバ
５  アンテナ
１０  制御部
１１  送受信部
１２  スピーカ
１３  メモリ
【図１】
0003699009.tif 000002
【図２】
0003699009.tif 000003
【図３】
0003699009.tif 000004
【図４】
0003699009.tif 000005
【図５】
0003699009.tif 000006
【図６】
0003699009.tif 000007
【図７】
0003699009.tif 000008
【図８】
0003699009.tif 000009
【図９】
0003699009.tif 000010